(57)【要約】バックライト装置１２は、取付孔３２，３３を有するシャーシ１４と、シャーシ１４内に配される冷陰極管１７と、取付孔３２，３３によってシャーシ１４に取り付けられるとともに冷陰極管１７を保持可能なランプクリップ１８とを備え、ランプクリップ１８は、シャーシ１４内に配される本体部２７と、本体部２７から取付孔３２，３３を通してシャーシ１４外に突出する基部３０ａ，３１ａと、基部３０ａ，３１ａから本体部２７に沿う向きに突出するとともに本体部２７との間で取付孔３２，３３の縁部を挟持可能な挟持部３０ｂ，３１ｂとからなる取付部３０，３１とを有する一方、シャーシ１４は、取付孔３２，３３に対して取付部３０，３１の挟持部３０ｂ，３１ｂにより挟持される縁部とは反対側に隣接する部分を外側へ膨出させることで形成され、取付部３０，３１を受け入れ可能な受入部３９，４０を有する。
2010061665.tif 000002
【特許請求の範囲】
【請求項１】
取付孔を有するシャーシと、
前記シャーシ内に配されるランプと、
前記取付孔によって前記シャーシに取り付けられるとともに前記ランプを保持可能なランプ保持具とを備え、
前記ランプ保持具は、
前記シャーシ内に配される本体部と、
前記本体部から前記取付孔を通して前記シャーシ外に突出する基部と、前記基部から前記本体部に沿う向きに突出するとともに前記本体部との間で前記取付孔の縁部を挟持可能な挟持部とを含む取付部と、
を有する一方、
前記シャーシは、前記取付孔に対して前記挟持部により挟持される前記縁部とは反対側に隣接する部分を外側へ膨出させることで形成され、前記取付部を受け入れ可能な受入部を有する照明装置。
【請求項２】
前記ランプ保持具は、前記本体部のうち前記基部に対して前記挟持部側とは反対側に配され、前記受入部内に突出するとともに前記受入部の内面に当接可能な当接部を備える請求の範囲第１項記載の照明装置。
【請求項３】
前記受入部及び前記当接部は、前記当接部における突出方向に沿った両側面が前記受入部の内面に当接可能となるよう形成されている請求の範囲第２項記載の照明装置。
【請求項４】
前記当接部における突出方向に沿った両側面と、前記取付部における突出方向に沿った両側面とが略面一状に形成されている請求の範囲第３項記載の照明装置。
【請求項５】
前記受入部及び前記当接部は、前記当接部における突出端面が前記受入部の内面に当接可能となるよう形成されている請求の範囲第２項から請求の範囲第４項のいずれか１項に記載の照明装置。
【請求項６】
前記受入部は、前記当接部における突出端面が当接した状態で、前記本体部と前記挟持部との間に保有される隙間と、前記取付孔の縁部とが整合するよう形成されている請求の範囲第５項記載の照明装置。
【請求項７】
前記当接部における突出端面と、前記取付部における突出端面とが略面一状に形成されている請求の範囲第５項または請求の範囲第６項記載の照明装置。
【請求項８】
前記受入部は、全体として膨出端側にかけて先窄み状に形成されていて、前記シャーシから外向きに立ち上がるとともに前記シャーシに対して傾斜状をなす周壁と、前記周壁の先端に連なる底壁とから構成されている請求の範囲第２項から請求の範囲第７項のいずれか１項に記載の照明装置。
【請求項９】
前記シャーシのうち、前記周壁と前記取付孔とに隣り合う部分には、前記取付孔に連通するスリットが形成されている請求の範囲第８項記載の照明装置。
【請求項１０】
前記スリットは、前記周壁の基端よりも拡張して形成されている請求の範囲第９項記載の照明装置。
【請求項１１】
前記本体部のうち前記基部と前記当接部との間には、第２の当接部が設けられており、
前記第２の当接部は、前記取付孔の内面に対して当接可能とされている請求の範囲第２項から請求の範囲第１０項のいずれか１項に記載の照明装置。
【請求項１２】
前記第２の当接部は、その突出端面が前記シャーシの外面と略面一状になるよう形成されている請求の範囲第１１項記載の照明装置。
【請求項１３】
前記取付部は、前記挟持部の突出方向について互いに離間した位置に一対設けられるのに対し、前記取付孔及び前記受入部は、それぞれ一対の前記取付部に対応した位置に一対ずつ設けられている請求の範囲第２項から請求の範囲第１２項のいずれか１項に記載の照明装置。
【請求項１４】
前記本体部における一対の前記取付部の間の位置には、前記取付部とは反対側へ突出する操作部が設けられており、
前記操作部に対して前記挟持部の突出方向側に配される前記取付部に対応して前記当接部が設けられている請求の範囲第１３項記載の照明装置。
【請求項１５】
前記操作部に対して前記挟持部の突出方向側に配される前記取付部における前記挟持部の突出端には、前記本体部との間の距離が先端側に向けて連続的に漸次広がるガイド部が設けられている請求の範囲第１４項記載の照明装置。
【請求項１６】
前記操作部に対して前記挟持部の突出方向とは反対側に配される前記取付部における前記挟持部には、前記本体部側へ突出する係止部が設けられているのに対し、
前記シャーシのうち、前記係止部を有する前記取付部に対応した前記取付孔から前記挟持部の突出方向へ離間した位置には、前記係止部を係止可能な係止孔が設けられている請求の範囲第１５項記載の照明装置。
【請求項１７】
前記係止部を有する前記取付部に対応した前記受入部は、前記シャーシから外向きに立ち上がる周壁と、前記周壁の先端に連なる底壁とから構成され、且つ前記底壁が前記取付孔側に向けて次第に外側に開くよう傾斜状に形成されている請求の範囲第１６項記載の照明装置。
【請求項１８】
前記シャーシに対して前記ランプを挟んだ位置に配される光学部材を備えており、
前記操作部は、前記光学部材を支持可能とされる請求の範囲第１４項から請求の範囲第１７項のいずれか１項に記載の照明装置。
【請求項１９】
前記本体部と前記シャーシとには、互いに凹凸嵌合することで、前記本体部に沿う方向について相互を位置決め可能な位置決め構造がそれぞれ設けられている請求の範囲第１項から請求の範囲第１８項のいずれか１項に記載の照明装置。
【請求項２０】
前記位置決め構造は、前記本体部に設けられた位置決め凸部と、前記シャーシに設けられ前記位置決め凸部を嵌合可能な位置決め凹部または位置決め孔とから構成される請求の範囲第１９項記載の照明装置。
【請求項２１】
前記位置決め構造は、前記取付部が前記受入部内に配された状態では、非嵌合状態とされるのに対し、前記取付部が前記取付孔内に配された状態では、嵌合状態とされる請求の範囲第１９項または請求の範囲第２０項記載の照明装置。
【請求項２２】
前記取付部における前記挟持部の突出端には、前記本体部との間の距離が先端側に向けて連続的に漸次広がるガイド部が設けられている請求の範囲第２１項記載の照明装置。
【請求項２３】
前記本体部のうち前記受入部に対して平面視重畳する部分には、前記受入部よりも幅広な幅広部が設けられている請求の範囲第１項から請求の範囲第２２項のいずれか１項に記載の照明装置。
【請求項２４】
前記挟持部は、前記基部から前記本体部に沿って延出する片持ちの板片状をなしている請求の範囲第１項から請求の範囲第２３項のいずれか１項に記載の照明装置。
【請求項２５】
請求の範囲第１項から請求の範囲第２４項のいずれか１項に記載の照明装置と、前記照明装置からの光を利用して表示を行う表示パネルとを備える表示装置。
【請求項２６】
前記表示パネルは、一対の基板間に液晶を封入してなる液晶パネルとされる請求の範囲第２５項記載の表示装置。
【請求項２７】
請求の範囲第２５項または請求の範囲第２６項に記載された表示装置を備えるテレビ受信装置。
【発明の詳細な説明】
【技術分野】
【０００１】
本発明は、照明装置、表示装置及びテレビ受信装置に関する。
【背景技術】
【０００２】
従来、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、金属製や樹脂製で液晶パネル側の面が開口したシャーシと、シャーシ内に敷設された反射シートと、シャーシ内に収容される多数本の冷陰極管と、シャーシの開口部分に配されて冷陰極管が発する光を効率的に液晶パネル側へ放出させるための多数枚の光学部材（拡散板など）と、細長い管状をなす冷陰極管の中間部分を保持するためのランプクリップとを備える。【０００３】
上記したような構成のバックライト装置に用いられるランプクリップの一例として下記特許文献１に記載されたものが知られている。このランプクリップは、シャーシ内に配される本体部を備えるとともに、本体部から裏側へ突出する基部と、基部の先端から本体部に沿う向きに突出する片持ち状の挟持部とからなる取付部を備えるのに対し、シャーシには、平面に視て取付部よりも大きな取付孔が開口して形成されている。ランプクリップをシャーシに取り付けるには、取付部を取付孔に挿入した後、ランプクリップを挟持部の突出方向へ向けてスライドさせる。すると、挟持部と本体部との間で取付孔の縁部が挟持されることで、ランプクリップが取付状態に保持されるようになっている。
【特許文献１】特開２００７−７３５２７公報
【０００４】
（発明が解決しようとする課題）
ところで、ランプクリップは、シャーシ内の光を有効利用するため、表面を例えば白色などにして光の反射性を高めているのであるが、光を全て反射させることができるわけではなく、いくらかの割合で光がランプクリップを透過し得る。ランプクリップを透過した光は、取付孔を通してシャーシの背面側外部へ漏れ出してしまい、表示品位が低下するなどの問題が生じるおそれがある。【０００５】
特に、上記したスライド取付型のランプクリップを採用したものでは、取付部は、片持ち状の挟持部を突出させているため、平面形状が横長で大きくなりがちとなっており、その取付部を受け入れる取付孔におけるシャーシでの開口面積も大きくなって漏れ出す光量が多くなる傾向にあり、対応策が希求されるところであった。
【発明の開示】
【０００６】
本発明は上記のような事情に基づいて完成されたものであって、漏光を抑制することを目的とする。
【０００７】
（課題を解決するための手段）
本発明の照明装置は、取付孔を有するシャーシと、前記シャーシ内に配されるランプと、前記取付孔によって前記シャーシに取り付けられるとともに前記ランプを保持可能なランプ保持具とを備え、前記ランプ保持具は、前記シャーシ内に配される本体部と、前記本体部から前記取付孔を通して前記シャーシ外に突出する基部と、前記基部から前記本体部に沿う向きに突出するとともに前記本体部との間で前記取付孔の縁部を挟持可能な挟持部とを含む取付部とを有する一方、前記シャーシは、前記取付孔に対して前記挟持部により挟持される前記縁部とは反対側に隣接する部分を外側へ膨出させることで形成され、前記取付部を受け入れ可能な受入部を有する。
【０００８】
シャーシにランプ保持具を取り付けるには、取付部を受入部内に進入させた状態から、基部からの挟持部の突出方向へ向けてランプ保持具を移動させる。すると、基部及び挟持部が取付孔を通してシャーシ外に突出するとともに挟持部と本体部との間で取付孔の縁部が挟持されることで、ランプ保持具がシャーシに取り付けられる。取付部を受け入れる受入部は、シャーシを部分的に外側へ膨出させることで形成されているので、仮に受入部として取付孔に連続した開口を形成した場合と比べると、シャーシにおける開口面積を小さくすることができる。これにより、シャーシ外に光が漏れ出すのを抑制することができる。
【０００９】
本発明の実施態様として、次の構成が好ましい。
（１）前記ランプ保持具は、前記本体部のうち前記基部に対して前記挟持部側とは反対側に配され、前記受入部内に突出するとともに前記受入部の内面に当接可能な当接部を備える。このようにすれば、受入部内に取付部及び当接部を進入させると、当接部が受入部の内面に当接される。この状態からランプ保持具を挟持部の突出方向へ移動させると、当接部が受入部の内面に摺接されるので、ランプ保持具の移動動作を案内することができる。挟持部と本体部との間に取付孔の縁部が挟持された取付状態でも、当接部が受入部の内面に当接しているので、取り付けたランプ保持具がシャーシに対してがたつくのを抑制することができる。
【００１０】
（２）前記受入部及び前記当接部は、前記当接部における突出方向に沿った両側面が前記受入部の内面に当接可能となるよう形成されている。このようにすれば、ランプ保持具を取り付ける際の移動動作の案内機能及び取付状態でのがたつき防止機能をより向上させることができる。
【００１１】
（３）前記当接部における突出方向に沿った両側面と、前記取付部における突出方向に沿った両側面とが略面一状に形成されている。このようにすれば、受入部内に当接部及び取付部を進入させると、当接部の両側面と取付部の両側面とが受入部の内面に当接されるから、ランプ保持具を取り付ける際の移動動作の案内機能を一層向上させることができる。
【００１２】
（４）前記受入部及び前記当接部は、前記当接部における突出端面が前記受入部の内面に当接可能となるよう形成されている。このようにすれば、ランプ保持具を取り付ける際の移動動作の案内機能及び取付状態でのがたつき防止機能をより向上させることができる。
【００１３】
（５）前記受入部は、前記当接部における突出端面が当接した状態で、前記本体部と前記挟持部との間に保有される隙間と、前記取付孔の縁部とが整合するよう形成されている。このようにすれば、受入部内に当接部及び取付部を進入させると、当接部の突出端面が受入部の内面に当接されることで、本体部と挟持部との間の隙間が取付孔の縁部に対して整合されるから、続いてランプ保持具を移動させる動作をより円滑なものとすることができる。
【００１４】
（６）前記当接部における突出端面と、前記取付部における突出端面とが略面一状に形成されている。このようにすれば、受入部内に当接部及び取付部を進入させると、当接部の突出端面と取付部の突出端面とが受入部の内面に当接されるから、ランプ保持具を取り付ける際の移動動作の案内機能を一層向上させることができる。
【００１５】
（７）前記受入部は、全体として膨出端側にかけて先窄み状に形成されていて、前記シャーシから外向きに立ち上がるとともに前記シャーシに対して傾斜状をなす周壁と、前記周壁の先端に連なる底壁とから構成されている。このようにすれば、傾斜状をなす周壁を備えるとともに先窄み状をなす受入部に対して当接部及び取付部を進入させ易くなるので、作業性に優れる。
【００１６】
（８）前記シャーシのうち、前記周壁と前記取付孔とに隣り合う部分には、前記取付孔に連通するスリットが形成されている。このようにすれば、傾斜状をなす周壁を所望の形状に容易に成形することができる。
【００１７】
（９）前記スリットは、前記周壁の基端よりも拡張して形成されている。このようにすれば、シャーシから傾斜状をなす周壁を外向きに立ち上げて成形する際、シャーシのうち周壁の基端の近傍に応力が作用し難くなる。これにより、シャーシに割れが生じるなどといった問題を回避することができる。
【００１８】
（１０）前記本体部のうち前記基部と前記当接部との間には、第２の当接部が設けられており、前記第２の当接部は、前記取付孔の内面に対して当接可能とされている。このようにすれば、シャーシにランプ保持具を取り付けた状態において、受入部の内面に当接する当接部と、取付孔の内面に当接する第２の当接部との少なくとも２箇所でランプ保持具のがたつきを規制することができる。これにより、ランプ保持具並びにランプの取付状態をさらに安定化させることができる。
【００１９】
（１１）前記第２の当接部は、その突出端面が前記シャーシの外面と略面一状になるよう形成されている。このようにすれば、第２の当接部をその突出方向について取付孔の内面に対して全域にわたって当接させつつ、第２の当接部の突出寸法を最小限にすることができる。
【００２０】
（１２）前記取付部は、前記挟持部の突出方向について互いに離間した位置に一対設けられるのに対し、前記取付孔及び前記受入部は、それぞれ一対の前記取付部に対応した位置に一対ずつ設けられている。このようにすれば、シャーシに対してランプ保持具が保持される箇所が挟持部の突出方向について互いに離間した２箇所になるから、取付状態をより安定化できるとともに、各受入部により漏光を抑制することができる。
【００２１】
（１３）前記本体部における一対の前記取付部の間の位置には、前記取付部とは反対側へ突出する操作部が設けられており、前記操作部に対して前記挟持部の突出方向側に配される前記取付部に対応して前記当接部が設けられている。このようにすれば、本体部から取付部とは反対側へ突出する操作部を操作することで、ランプ保持具をシャーシに取り付けることができる。当接部は、一対の取付部のうち、操作部に対して挟持部の突出方向側、つまり取り付け時のランプ保持具の移動方向側の取付部に対応して設けられているから、取り付け時のランプ保持具の移動動作の案内を先行して行うことができ、移動動作をより円滑化することができる。
【００２２】
（１４）前記操作部に対して前記挟持部の突出方向側に配される前記取付部における前記挟持部の突出端には、前記本体部との間の距離が先端側に向けて連続的に漸次広がるガイド部が設けられている。このようにすれば、ガイド部により挟持部と本体部との間に取付孔の縁部が進入する動作がより円滑なものとなる。これにより、当接部とも相まって取り付け時のランプ保持具の移動動作をさらに円滑なものとすることができる。
【００２３】
（１５）前記操作部に対して前記挟持部の突出方向とは反対側に配される前記取付部における前記挟持部には、前記本体部側へ突出する係止部が設けられているのに対し、前記シャーシのうち、前記係止部を有する前記取付部に対応した前記取付孔から前記挟持部の突出方向へ離間した位置には、前記係止部を係止可能な係止孔が設けられている。このようにすれば、シャーシに取り付けた状態のランプ保持具の脱落防止を図ることができる。
【００２４】
（１６）前記係止部を有する前記取付部に対応した前記受入部は、前記シャーシから外向きに立ち上がる周壁と、前記周壁の先端に連なる底壁とから構成され、且つ前記底壁が前記取付孔側に向けて次第に外側に開くよう傾斜状に形成されている。このようにすれば、受入部内に係止部を有する取付部を進入させた状態からランプ保持具を移動させると、係止部が取付孔の縁部に乗り上げることで、挟持部が一旦弾性変位されるが、このとき傾斜状をなす底壁によって弾性変位する挟持部を受け入れることができる。これにより、取り付け時のランプ保持具の移動動作をより円滑なものとすることができる。
【００２５】
（１７）前記シャーシに対して前記ランプを挟んだ位置に配される光学部材を備えており、前記操作部は、前記光学部材を支持可能とされる。このようにすれば、操作部によって光学部材を良好に支持することができる。
【００２６】
（１８）前記本体部と前記シャーシとには、互いに凹凸嵌合することで、前記本体部に沿う方向について相互を位置決め可能な位置決め構造がそれぞれ設けられている。このようにすれば、ランプ保持具をシャーシに対して本体部に沿う方向について位置決め状態に保つことができる。
【００２７】
（１９）前記位置決め構造は、前記本体部に設けられた位置決め凸部と、前記シャーシに設けられ前記位置決め凸部を嵌合可能な位置決め凹部または位置決め孔とから構成される。このようにすれば、本体部側に設けた位置決め凸部を、シャーシ側に設けた位置決め凹部または位置決め孔に嵌合させることで、シャーシに対するランプ保持具の位置決めを図ることができる。
【００２８】
（２０）前記位置決め構造は、前記取付部が前記受入部内に配された状態では、非嵌合状態とされるのに対し、前記取付部が前記取付孔内に配された状態では、嵌合状態とされる。このようにすれば、取付部が取付孔内に配され、その挟持部と本体部との間で取付孔の縁部が挟持された状態ではじめて位置決め構造が嵌合状態となる。これにより、シャーシに取り付けたランプ保持具を安定的に保持することができる。
【００２９】
（２１）前記取付部における前記挟持部の突出端には、前記本体部との間の距離が先端側に向けて連続的に漸次広がるガイド部が設けられている。取付部が受入部内に配された状態で位置決め構造が非嵌合状態である場合、本体部がシャーシから浮き上がることになるが、挟持部の突出端にガイド部を設けるようにすることで、ランプ保持具を挟持部の突出方向へスムーズに移動させることができる。
【００３０】
（２２）前記本体部のうち前記受入部に対して平面視重畳する部分には、前記受入部よりも幅広な幅広部が設けられている。このようにすれば、幅広部により本体部が受入部内に落ち込むのを回避することができる。これにより、ランプ保持具の取付状態をより安定化させることができる。また、仮に本体部の全体を幅広にした場合と比べて、本体部に用いる材料費を低減することができる。
【００３１】
（２３）前記挟持部は、前記基部から前記本体部に沿って延出する片持ちの板片状をなしている。このようにすれば、取付孔の縁部に対する挟持部の接触面積を十分に確保でき、ランプ保持具の取付状態をより安定化させることができる。
【００３２】
次に、上記課題を解決するために、本発明の表示装置は、上記記載の照明装置と、前記照明装置からの光を利用して表示を行う表示パネルとを備える。
【００３３】
このような表示装置によると、表示パネルに対して光を供給する照明装置が、漏光を抑制されたものであるから、光の利用効率が高くなり、もって表示品質の優れた表示を実現することが可能となる。
【００３４】
前記表示パネルとしては液晶パネルを例示することができる。このような表示装置は液晶表示装置として、種々の用途、例えばテレビやパソコンのディスプレイ等に適用でき、特に大型画面用として好適である。
【００３５】
（発明の効果）
本発明によれば、漏光を抑制することができる。
【図面の簡単な説明】
【００３６】
【図１】本発明の実施形態１に係るテレビ受信装置の概略構成を示す分解斜視図
【図２】液晶表示装置の概略構成を示す分解斜視図
【図３】液晶表示装置を短辺方向に沿って切断した状態を表す断面図
【図４】液晶表示装置を長辺方向に沿って切断した状態を表す断面図
【図５】取付位置としたランプクリップとシャーシの断面図
【図６】シャーシにランプクリップを取り付けた状態を示す平面図
【図７】図５のvii−vii線断面図
【図８】ランプクリップの平面図
【図９】ランプクリップの底面図
【図１０】シャーシの各取付孔及び各受入部を示す平面図
【図１１】図１０のxi−xi線断面図
【図１２】取外し位置としたランプクリップとシャーシの断面図
【図１３】待機位置としたランプクリップとシャーシの断面図
【図１４】図１３のxiv−xiv線断面図
【図１５】図１４のxv−xv線断面図
【図１６】本発明の実施形態２に係る取付位置としたランプクリップとシャーシの断面図
【図１７】図１６のxvii−xvii線断面図
【図１８】ランプクリップの底面図
【図１９】シャーシの各取付孔及び各受入部を示す平面図
【図２０】取外し位置としたランプクリップとシャーシの断面図
【図２１】待機位置としたランプクリップとシャーシの断面図
【図２２】図２１のxxii−xxii線断面図
【図２３】本発明の実施形態３に係る取付位置としたランプクリップとシャーシの断面図
【図２４】図２３のxxiv−xxiv線断面図
【図２５】ランプクリップの底面図
【図２６】シャーシの各取付孔及び各受入部を示す平面図
【図２７】取外し位置としたランプクリップとシャーシの断面図
【図２８】待機位置としたランプクリップとシャーシの断面図
【符号の説明】
【００３７】
１０…液晶表示装置（表示装置）、１１…液晶パネル（表示パネル）、１２…バックライト装置（照明装置）、１４…シャーシ、１５ａ…拡散板（光学部材）、１５ｂ…光学シート（光学部材）、１７…冷陰極管（ランプ）、１８…ランプクリップ（ランプ保持具）、２７…本体部、２９…支持ピン（操作部）、３０…第１取付部、３０ａ…基部、３０ｂ…挟持部、３０ｃ…側面、３０ｄ…突出端面、３１…第２取付部、３１ａ…基部、３１ｂ…挟持部、３２…第１取付孔、３３…第２取付孔、３６…ガイド部、３７…係止部、３８…係止孔、３９…第１受入部、３９ａ…周壁、３９ｂ…底壁、４０…第２受入部、４０ａ…周壁、４０ｂ…底壁、４１…スリット、４２…幅広部、４３…当接部、４３ａ…側面、４３ｂ…突出端面、４５…第２の当接部、４５ｂ…突出端面、４６…位置決め凸部（位置決め構造）、４７…位置決め孔（位置決め構造）
【発明を実施するための最良の形態】
【００３８】
＜実施形態１＞
本発明の実施形態１を図１から図１５によって説明する。【００３９】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。なお、各図面の一部にはＸ軸、Ｙ軸及びＺ軸を示しており、各軸方向が各図面で示した方向となるように描かれている。【００４０】
次に、液晶表示装置１０を構成する液晶パネル１１及びバックライト装置１２について説明する（図２ないし図４参照）。【００４１】
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが配されている（図３及び図４参照）。【００４２】
バックライト装置１２は、図２に示すように、光出射面側（液晶パネル１１側）に開口した略箱型をなすシャーシ１４と、シャーシ１４の開口部１４ｂを覆うようにして配される拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。さらに、シャーシ１４内には、冷陰極管（ランプ、光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも拡散板１５ａ側が光出射側となっている。なお、図２〜図４においてはランプクリップ１８の図示を省略している。【００４３】
シャーシ１４は、金属製とされ、矩形状の底板１４ａと、その各辺から立ち上がり略Ｕ字状に折り返された折返し外縁部２１（短辺方向の折返し外縁部２１ａ及び長辺方向の折返し外縁部２１ｂ）とからなる浅い略箱型に板金成形されている。シャーシ１４の底板１４ａには、その長辺方向の両端部に、中継コネクタ１９を取り付けるためのコネクタ取付孔２２が複数穿設されている。さらに、シャーシ１４の折返し外縁部２１ｂの上面には、図３に示すように、固定孔１４ｃが穿設されており、例えばネジ等によりベゼル１３、フレーム１６、及びシャーシ１４等を一体化することが可能とされている。【００４４】
シャーシ１４の底板１４ａの内面側（冷陰極管１７や拡散板１５ａと対向する面側、表面側）には、反射シート２３が配設されている。反射シート２３は、合成樹脂製とされ、その表面が反射性に優れた白色とされており、シャーシ１４の底板面に沿ってそのほぼ全域を覆うように敷かれている。この反射シート２３が、シャーシ１４において冷陰極管１７から発せられた光を拡散板１５ａ側へ反射させる反射面を構成している。当該反射シート２３の長辺縁部は、図３に示すように、シャーシ１４の折返し外縁部２１ｂを覆うように立ち上がり、シャーシ１４と拡散板１５ａとに挟まれた状態とされている。この反射シート２３により、冷陰極管１７から出射された光を拡散板１５ａ側に反射させることが可能となっている。【００４５】
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図２参照）。なお、冷陰極管１７は、シャーシ１４の底板１４ａ（反射シート２３）から僅かに浮いた状態とされており、その各端部が中継コネクタ１９に嵌め込まれ、これら中継コネクタ１９を被覆するようにホルダ２０が取り付けられている。【００４６】
ホルダ２０は、白色を呈する合成樹脂製とされ、冷陰極管１７の端部を覆い、シャーシ１４の短辺方向に沿って延びる細長い略箱型をなしている。当該ホルダ２０は、図４に示すように、その表面側に拡散板１５ａないし液晶パネル１１を段違いに載置可能な階段状面を有するとともに、シャーシ１４の短辺方向の折返し外縁部２１ａと一部重畳した状態で配されており、折返し外縁部２１ａとともに当該バックライト装置１２の側壁を形成している。ホルダ２０のうちシャーシ１４の折返し外縁部２１ａと対向する面からは挿入ピン２４が突出しており、当該挿入ピン２４がシャーシ１４の折返し外縁部２１ａの上面に形成された挿入孔２５に挿入されることで、当該ホルダ２０はシャーシ１４に取り付けられるものとされている。【００４７】
ホルダ２０の階段状面はシャーシ１４の底板面と平行な３面からなり、最も低い位置にある第１面２０ａには拡散板１５ａの短辺縁部が載置されている。さらに、第１面２０ａからは、シャーシ１４の底板面に向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の折返し外縁部２１ａと重畳する位置に配され、ベゼル１３と接触するものとされている。【００４８】
拡散板１５ａは、合成樹脂製の板状部材に光散乱粒子が分散配合されてなり、管状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、図３に示すように、シャーシ１４（反射シート２３）とフレーム１６とに挟まれることで固定されている。【００４９】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。【００５０】
ここで、ランプクリップ１８について説明する。ランプクリップ１８は、シャーシ１４の底板１４ａの面内において複数分散した位置に設置される。各ランプクリップ１８は、合成樹脂製（例えばポリカーボネート製）で、表面が光の反射性に優れた白色とされており、図５に示すように、シャーシ１４の底板１４ａ（反射シート２３）に沿って延在する略板状をなし平面視略矩形の本体部２７を備える。ランプクリップ１８は、シャーシ１４に対して、本体部２７の長さ方向（長辺方向）がＹ軸方向と一致した姿勢（向き、状態）、つまりシャーシ１４の短辺方向とほぼ平行な姿勢、言い換えると冷陰極管１７の軸方向（長さ方向、Ｘ軸方向）と直交し且つシャーシ１４の底板１４ａの板面に沿う方向とほぼ平行な姿勢で取り付けられる。なお、以下では、Ｚ軸方向について図５に示す上側を表側とし、逆の下側を裏側として説明する。【００５１】
本体部２７における表側の面（拡散板１５ａ及び冷陰極管１７との対向面、シャーシ１４側とは反対側の面）には、図５及び図８に示すように、冷陰極管１７を所定高さ位置に支持可能なランプ把持部２８と、拡散板１５ａを冷陰極管１７よりも高い位置に支持可能な支持ピン２９とがそれぞれ設けられている。ランプ把持部２８は、本体部２７の長さ方向（Ｙ軸方向）について離間した位置に３つ並んで設置されており、それぞれが異なる冷陰極管１７を把持する。ランプ把持部２８は、本体部２７から表側へ立ち上がる一対の片持ち状のアーム部２８ａを有し、両アーム部２８ａの先端部内面からは内向きに突出する支持突部２８ｂがそれぞれ設けられている。また、ランプ把持部２８の内面のうち底面にも同様の支持突部２８ｂが１つ設けられている。ランプ把持部２８は、これら支持突部２８ｂにより冷陰極管１７を三点支持できるようになっており、冷陰極管１７の外周面とランプ把持部２８の内周面との間には、光を導出させるための隙間が保有されている。各ランプ把持部２８の配列ピッチは、ほぼ同一とされ、シャーシ１４内に並ぶ各冷陰極管１７の配列ピッチと一致している。その一方、支持ピン２９は、本体部２７の長さ方向について、図５に示す左端のランプ把持部２８と、中央のランプ把持部２８とのほぼ中間位置に配されている。この支持ピン２９は、ランプ把持部２８よりもさらに表側へ突出しており、ランプクリップ１８において最も高く突出する部位であるから、ランプクリップ１８をシャーシ１４に対して着脱する際には、作業者が把持して着脱操作を行う操作部として利用可能となっている。【００５２】
一方、本体部２７における裏側の面（シャーシ１４及び反射シート２３との対向面、拡散板１５ａ及び冷陰極管１７側とは反対側の面）には、図５及び図９に示すように、ランプクリップ１８をシャーシ１４に対して取付状態に保持するための取付構造をなす取付部３０，３１が２つ設けられている。両取付部３０，３１は、本体部２７における長さ方向に離間した位置に配されている。これに対し、シャーシ１４の底板１４ａにおける各ランプクリップ１８の取付予定位置には、ランプクリップ１８の取付構造をなす取付孔３２，３３が２つずつ設けられている。各取付孔３２，３３には、対応するランプクリップ１８の各取付部３０，３１が挿入可能とされる。また、反射シート２３には、シャーシ１４の各取付孔３２，３３に連通するとともに各取付部３０，３１を挿通可能な挿通孔３４，３５が２つずつ設けられている。なお、各取付部３０，３１を区別するため、図５に示す右側から順に第１取付部３０、第２取付部３１とする。同様に、各取付孔３２，３３及び各挿通孔３４，３５をそれぞれ区別するため、図５に示す右側から順にそれぞれ第１取付孔３２及び第１挿通孔３４、第２取付孔３３及び第２挿通孔３５とする。【００５３】
次に、上記したシャーシ１４に対するランプクリップ１８の取付構造について詳細に説明する。まず、取付構造の概略を取り付け方法と共に簡単に説明すると、各取付部３０，３１は、図５に示すように、本体部２７の裏面（板面）に沿って延びるフック状をなしており、その取付部３０，３１をシャーシ１４及び反射シート２３の取付孔３２，３３及び挿通孔３４，３５に挿入してシャーシ１４の裏側に突出させ、その状態でランプクリップ１８を本体部２７の長さ方向（Ｙ軸方向、シャーシ１４の底板１４ａの板面方向）に沿ってスライドさせることで、取付部３０，３１と本体部２７との間でシャーシ１４及び反射シート２３を挟持できるようになっている（図１２及び図１３参照）。このようにシャーシ１４に対するランプクリップ１８のスライド方向は、Ｙ軸方向と一致している。続いて、取付部３０，３１、取付孔３２，３３及び挿通孔３４，３５の詳しい構造について順次に説明する。【００５４】
第１取付部３０及び第２取付部３１は、共通構造を有しており、その共通構造について説明する。第１取付部３０及び第２取付部３１は、図９に示すように、平面に見て矩形状をなしており、その長さ方向（長辺方向）及び幅方向（短辺方向）が本体部２７と一致している。また、第１取付部３０及び第２取付部３１は、本体部２７における幅方向のほぼ中央位置に設置されている。【００５５】
詳しくは、第１取付部３０及び第２取付部３１は、本体部２７の裏面から裏側（シャーシ１４側）へ突出する基部３０ａ，３１ａと、基部３０ａ，３１ａの先端から本体部２７に沿う向きに突出する挟持部３０ｂ，３１ｂとをそれぞれ備え、正面から見て略Ｌ字型をなしている。各基部３０ａ，３１ａは、本体部２７からＺ軸方向、つまり本体部２７の板面に対して直交する方向に突出している。言い換えると、各基部３０ａ，３１ａは、本体部２７からほぼ垂直に立ち上がっている。各基部３０ａ，３１ａは、図７に示すように、本体部２７に沿って切断したときの断面形状が矩形状をなしており、その短辺方向がＹ軸方向と、長辺方向がＸ軸方向とそれぞれ一致している。【００５６】
各挟持部３０ｂ，３１ｂは、図５に示すように、基部３０ａ，３１ａの先端部から本体部２７の長さ方向（Ｙ軸方向）に沿って図５に示す右方向へ突出する片持ちの板片状に形成されている。ランプクリップ１８をシャーシ１４に取り付ける際のスライド方向、つまり取付方向は、各挟持部３０ｂ，３１ｂにおける各基部３０ａ，３１ａからの突出方向（図５に示す右方向）と一致しており、逆にランプクリップ１８をシャーシ１４から取り外す際のスライド方向、つまり取り外し方向は、各挟持部３０ｂ，３１ｂにおける各基部３０ａ，３１ａからの突出方向とは逆方向（図５に示す左方向）と一致している。各挟持部３０ｂ，３１ｂは、各基部３０ａ，３１ａの先端からほぼ直角に屈曲されて本体部２７と平行に延び且つ本体部２７と対向している。各挟持部３０ｂ，３１ｂは、基部３０ａ，３１ａに連なる突出基端を支点にしてＺ軸方向、つまり基部３０ａ，３１ａからの突出方向と交差する方向について弾性変形（弾性変位）可能とされる。各挟持部３０ｂ，３１ｂは、弾性変形に伴って本体部２７に対して接離するよう変位されるようになっている。各挟持部３０ｂ，３１ｂと本体部２７との間の間隔は、シャーシ１４の厚さと反射シート２３の厚さとを足した大きさとほぼ同じか、それよりも大きくなっている。各挟持部３０ｂ，３１ｂは、図９に示すように、平面に見て矩形状をなしており、その長辺方向がＹ軸方向（スライド方向）と、短辺方向がＸ軸方向とそれぞれ一致している。また、各挟持部３０ｂ，３１ｂ及び各基部３０ａ，３１ａにおけるＸ軸方向についての寸法（取付部３０，３１における短辺寸法（幅寸法））は、ほぼ同じとなっている。【００５７】
次に、第１取付部３０及び第２取付部３１の相違構造について説明する。第１取付部３０を構成する基部３０ａは、図５に示すように、本体部２７のうち図５に示す右端のランプ把持部２８、つまり支持ピン２９側とは反対側の端に配されたランプ把持部２８の裏側（背面側）に位置している。第１取付部３０を構成する挟持部３０ｂは、基部３０ａから支持ピン２９側とは反対側へ向けて突出するとともにその先端部が本体部２７の図５に示す右側端部、つまり取付方向の前端部よりも内側に引っ込むような長さを有している。【００５８】
第１取付部３０の挟持部３０ｂの先端（突出端）には、シャーシ１４への取り付け動作をガイド可能なガイド部３６が設けられている。ガイド部３６は、挟持部３０ｂに対して鈍角をなすよう屈曲されており、先端側に行くに連れて本体部２７から離れるような勾配をもって傾斜状に形成されている。言い換えると、ガイド部３６は、本体部２７との間の距離が先端側に向けて連続的に漸次増加する形態とされる。ガイド部３６は、厚さ寸法が全長にわたってほぼ一定とされる。第１取付部３０における本体部２７からの裏側への突出先端部は、ガイド部３６における先端部となっている。【００５９】
一方、第２取付部３１を構成する基部３１ａは、本体部２７のうち図５に示す左端のランプ把持部２８、つまり支持ピン２９側の端に配されたランプ把持部２８の裏側（背面側）に位置している。つまり、第２取付部３１は、本体部２７の長さ方向について第１取付部３０に対して支持ピン２９を挟んだ反対側に配されていることになる。第２取付部３１を構成する挟持部３１ｂは、基部３１ａから支持ピン２９側へ向けて延在するとともに、その長さ寸法が第１取付部３０の挟持部３０ｂよりも大きくなっている。そして、第２取付部３１の挟持部３１ｂの先端には、本体部２７側へ突出する係止部３７が設けられている。係止部３７のうち本体部２７との対向面には、テーパ面が形成されている。係止部３７のうち基部３１ａとの対向面は、基部３１ａの外面とほぼ平行で直立していて、シャーシ１４に対するランプクリップ１８のスライド方向（Ｙ軸方向）と直交する方向（Ｚ軸方向）に沿ってほぼ真っ直ぐな面となっており、ここがシャーシ１４に対する係止面となっている。【００６０】
続いて、シャーシ１４に形成された第１取付孔３２及び第２取付孔３３について説明する。第１取付孔３２及び第２取付孔３３は、図５及び図１０に示すように、対応する第１取付部３０及び第２取付部３１をシャーシ１４の裏側外部へ通すことが可能となるよう、底板１４ａを貫通して形成されている。第１取付孔３２及び第２取付孔３３は、幅寸法（Ｘ軸方向の寸法）が対応する第１取付部３０及び第２取付部３１とほぼ同じかそれよりも大きく設定されている。これにより、各取付部３０，３１の基部３０ａ，３１ａにおけるＸ軸方向の両側面３０ｃ，３１ｃが、各取付孔３２，３３の内面に対して当接可能とされる。また、シャーシ１４のうち、第２取付孔３３に対して図５に示す右側に離間した位置、つまり取付方向に離間した位置には、係止部３７が係止可能な係止孔３８が形成されている。【００６１】
そして、シャーシ１４のうち、第１取付孔３２及び第２取付孔３３に対して図５に示す左側に隣接する部分、つまり各取付部３０，３１の各挟持部３０ｂ，３１ｂにより挟持される各取付孔３２，３３の縁部とは反対側に隣接する部分には、裏側外部へ膨出する形態で、各取付部３０，３１を受け入れ可能な受入部３９，４０がそれぞれ設けられている。各受入部３９，４０は、シャーシ１４の内側（Ｚ軸方向の表側）及び対応する各取付孔３２，３３側（Ｙ軸方向の右側）に向けて開口する略袋状をなすとともに、各取付部３０，３１を表側からＺ軸方向に沿って出し入れ可能で且つ各取付部３０，３１を図５に示す右側からＹ軸方向に沿って出し入れ可能とされる。これにより、ランプクリップ１８は、各取付部３０，３１がシャーシ１４の底板１４ａから完全に外れた取外し位置（図１２）と、各取付部３０，３１が各受入部３９，４０内に進入し各取付孔３２，３３からは退出した待機位置（図１３）と、各取付部３０，３１が各受入部３９，４０からは退出し各取付孔３２，３３内に進入した取付位置（図５）との３位置間をＺ軸方向またはＹ軸方向に沿って順次に且つ可逆的に移動可能とされている。なお、各受入部３９，４０を区別するため、図５に示す右側から順に第１受入部３９、第２受入部４０とする。【００６２】
第１受入部３９及び第２受入部４０は、共通構造を有しており、その共通構造について説明する。各受入部３９，４０は、図１０に示すように、各取付部３０，３１と同様に平面に視て略矩形状をなしており、その長辺方向及び短辺方向が各取付部３０，３１のそれと一致している。各受入部３９，４０は、図５及び図１１に示すように、シャーシ１４の底板１４ａから裏側外部へ向けて立ち上がる周壁３９ａ，４０ａと、周壁３９ａ，４０ａの先端に連なる底壁３９ｂ，４０ｂとから構成されており、このうち周壁３９ａ，４０ａが傾斜状に形成されることで、全体が膨出端にかけて先窄み状に形成されている。詳しくは、周壁３９ａ，４０ａは、Ｙ軸方向（長辺方向）に沿った一対の長辺側壁部３９ａａ，４０ａａと、両長辺側壁部３９ａａ，４０ａａのうち各取付孔３２，３３側とは反対側の端部同士を繋ぐＸ軸方向（短辺方向）に沿った短辺側壁部３９ａｂ，４０ａｂとから構成される。そして、両長辺側壁部３９ａａ，４０ａａ及び底壁３９ｂ，４０ｂのうち短辺側壁部３９ａｂ，４０ａｂとは反対側の端部が各取付孔３２，３３へ向けて開口する開口部の開口縁となっている。周壁３９ａ，４０ａは、シャーシ１４の底板１４ａに対して鈍角をなすよう傾斜しており、それにより受入部３９，４０は、その長辺寸法及び短辺寸法が膨出端側（裏側）に行くに従って連続的に漸次減少する、先窄み状をなしている。逆に言うと、受入部３９，４０の内部空間は、周壁３９ａ，４０ａの基端側（表側）に行くに従って連続的に漸次増加する、末広がり状をなしている。これにより、ランプクリップ１８を取外し位置から待機位置へ至らせるにあたり、各取付部３０，３１を各受入部３９，４０内に進入させ易くなっている。【００６３】
各受入部３９，４０における周壁３９ａ，４０ａのうち両長辺側壁部３９ａａ，４０ａａの先端部間の間隔、つまり底壁３９ｂ，４０ｂの幅寸法（Ｘ軸方向の寸法）は、図１０に示すように、各取付部３０，３１及び各取付孔３２，３３の幅寸法とほぼ同じに設定されている。従って、各取付部３０，３１が各受入部３９，４０内に進入した状態（待機位置など）では、各取付部３０，３１の突出端部が両長辺側壁部３９ａａ，４０ａａの先端部に対して当接される。つまり、各取付部３０，３１が両長辺側壁部３９ａａ，４０ａａの先端部間に挟み込まれる（嵌め込まれる）ようになっており、両長辺側壁部３９ａａ，４０ａａが各取付部３０，３１に対するガイドレールとして機能し得る。さらには、各受入部３９，４０の深さ寸法、つまりシャーシ１４の底板１４ａにおける表側の面から、底壁３９ｂ，４０ｂの内面までの距離は、図５に示すように、各取付部３０，３１における本体部２７からの突出寸法とほぼ同じに設定されている。従って、各取付部３０，３１が各受入部３９，４０内に進入した状態では、各取付部３０，３１の突出端面が底壁３９ｂ，４０ｂの内面に対して面当たり状態で当接される。これにより、底壁３９ｂ，４０ｂの内面が各取付部３０，３１に対するガイド面として機能し得る。また、底壁３９ｂ，４０ｂは、取付状態においてランプクリップ１８の本体部２７に対して対向状をなす。【００６４】
この受入部３９，４０は、傾斜状をなす周壁３９ａ，４０ａを有しているため、その最大の幅寸法、つまり両長辺側壁部３９ａａ，４０ａａの立ち上がり基端間の間隔が、図１０に示すように、各取付部３０，３１及び各取付孔３２，３３の幅寸法よりも、両長辺側壁部３９ａａ，４０ａａの分だけ大きくなっている。従って、シャーシ１４の底板１４ａから立ち上がる形態の周壁３９ａ，４０ａを成形するためにも、底板１４ａのうち各周壁３９ａ，４０ａと各取付孔３２，３３とに隣り合う部分（境界部分）には、各取付孔３２，３３に連通するスリット４１がそれぞれ形成されている。【００６５】
上記したように受入部３９，４０を構成する周壁３９ａ，４０ａを傾斜状に形成しているのは、各取付部３０，３１を各受入部３９，４０内に進入させ易くするためでもあるが、それ以外にも製造上の理由に因る。すなわち、シャーシ１４の製造工程において底板１４ａに部分的に受入部３９，４０を成形するには、底板１４ａに対して絞り加工を施すようにしている。この絞り加工を効率的に行うには、周壁３９ａ，４０ａを既述したような傾斜状にするのが好ましく、それによりシャーシ１４の生産効率の向上が図られている。ところで、絞り加工により周壁３９ａ，４０ａを成形する際には、その立ち上がり基端と底板１４ａとの境界部分に応力が集中することが懸念されるため、本実施形態では、そのような応力集中を緩和すべく、上記したスリット４１が周壁３９ａ，４０ａにおける両長辺側壁部３９ａａ，４０ａａの立ち上がり基端よりも外側に拡張して形成されている。詳しくは、スリット４１は、両長辺側壁部３９ａａ，４０ａａの立ち上がり基端よりもＸ軸方向について外側に深く切り込んだ形態とされている。【００６６】
このようにシャーシ１４の底板１４ａに各受入部３９，４０を形成することにより、ランプクリップ１８をシャーシ１４の底板１４ａに対して待機位置に配することが可能となっている。ここで、仮に受入部として取付孔３２，３３に連続した開口を形成した場合には、その開口は平面に視て取付部３０，３１と同等の大きさとなる。これに比べると、本実施形態では、底板１４ａに形成される開口が取付孔３２，３３のみであり、その開口面積は取付部３０，３１を平面に視た大きさよりも十分に小さくなっている。つまり、底板１４ａの開口面積は、略袋状をなす受入部３９，４０を設けた分だけ小さくなっており、言い換えると、取付部３０，３１をシャーシ１４の裏側外部へ突出させるのに必要な最小限の大きさに留められている。これにより、冷陰極管１７から発せられた光がある割合でもってランプクリップ１８を透過したとしても、シャーシ１４の底板１４ａの開口（取付孔３２，３３）から裏側外部へ漏れ出すのを最小限に抑制することができる。【００６７】
ところで、各受入部３９，４０は、既述した通り傾斜状の周壁３９ａ，４０ａを有するとともに各取付部３０，３１よりも平面に視て大きくなるよう形成されており、その形成範囲についてはランプクリップ１８の本体部２７に対してシャーシ１４の底板１４ａ（反射シート２３）が当接しなくなる。そこで、ランプクリップ１８における本体部２７のうち各受入部３９，４０に対応する部分には、図６に示すように、各受入部３９，４０よりも幅寸法が大きな幅広部４２が形成されている。詳しくは、ランプクリップ１８を取付位置とした状態で、本体部２７のうち各受入部３９，４０に対して平面視重畳する部分は、他の部分よりも相対的に幅寸法が大きな幅広部４２となっている。これにより、取付位置において本体部２７が受入部３９，４０内に落ち込むような事態を回避でき、取付状態の安定化を図ることが可能とされる。【００６８】
続いて、各受入部３９，４０の相違構造について説明する。第１受入部３９は、図５に示すように、その長辺寸法が第２受入部４０よりも大きく設定されている。第１受入部３９の長辺寸法は、第１取付部３０よりも大きく設定されているのに対し、第２受入部４０の長辺寸法は、第２取付部３１と概ね同じ程度の大きさに設定されている。第２受入部４０を構成する底壁４０ｂは、第２取付孔３３側への開口端側にかけて次第に外側に開くよう傾斜状に形成されている。詳しくは、第２受入部４０の底壁４０ｂのうち、短辺側壁部４０ａｂ側の所定領域は、Ｘ軸方向及びＹ軸方向に沿ってほぼ真っ直ぐなのに対し、上記開口端側の所定領域は、第２取付孔３３に近づくに従って本体部２７との間の距離を増加させるよう傾斜した傾斜部４０ｂａとなっている。従って、待機位置では、第２取付部３１の挟持部３１ｂの底面と、底壁４０ｂの内面との間には、所定の隙間が保有され、その隙間は挟持部３１ｂの先端側に向けて次第に拡がる形態とされるから、片持ち状をなす第２取付部３１の挟持部３１ｂの弾性変位が許容されるようになっている（図１３）。【００６９】
ここで、本実施形態に係るランプクリップ１８は、その着脱時のスライド動作を安定化させたり、取付状態を安定化させることを目的として、受入部３９，４０の内面に当接可能な当接部４３を有している。当接部４３は、本体部２７における裏側の面のうち、第１取付部３０に対して図５に示す左側、つまり基部３０ａからの挟持部３０ｂの突出方向とは反対側に隣接する位置に配されている。当接部４３は、第１取付部３０と同様にＺ軸方向に沿って裏側へ突出する形態とされており、第１取付部３０と共に第１受入部３９内に進入可能とされている。当接部４３は、図１３に示す待機位置と、図５に示す取付位置との双方において第１受入部３９内に配される。従って、当接部４３は、ランプクリップ１８を待機位置と係止位置との間で移動させる間も、常に第１受入部３９内に配されるとともに移動過程では第１受入部３９の内面に対して摺接されるようになっている。また、当接部４３と第１取付部３０との間の距離は、取付位置における第１取付部３０と第１受入部３９における第１取付孔３２側の端部との間の距離よりも十分に大きくなるよう設定されている。また、第１受入部３９の長辺寸法は、第１取付部３０の長辺寸法と、当接部４３におけるＹ軸方向の寸法と、第１取付部３０と当接部４３との間の距離とを足し合わせた大きさよりも大きくなるよう設定されている。【００７０】
当接部４３は、全体として略ブロック状をなしている。当接部４３は、図９に示すように、平面に視て略矩形状をなすものの、図５に示すように、側方に視て略略半円形状をなしている。つまり、当接部４３は、図９に示すように、Ｘ軸方向についての両側面４３ａがＹ軸方向及びＺ軸方向に沿ってほぼ真っ直ぐな面とされるのに対し、突出端面４３ｂは、図５に示すように、円弧状の曲面とされている。また、当接部４３における側方に視たときの略中心位置には、Ｘ軸方向に貫通する肉抜き部４３ｃが形成されており、これにより当接部４３の肉厚を全域にわたって概ね一定とすることができ、もってランプクリップ１８を樹脂成形する際のひけを防止できる。【００７１】
当接部４３におけるＸ軸方向（スライド方向と直交する方向）についての寸法は、図９に示すように、第１取付部３０の同寸法とほぼ同じとされる。従って、当接部４３における両側面４３ａは、第１取付部３０の両側面３０ｃとほぼ面一状をなすとともに、第１受入部３９内に進入した状態では、当接部４３の突出端部の両側面４３ａが第１取付部３０の突出端部の両側面３０ｃと共に第１受入部３９における両長辺側側壁部３９ａａの先端部に対して当接される（図１５）。つまり、当接部４３及び第１取付部３０は、両長辺側壁部３９ａａの先端部間に挟み込まれる（嵌め込まれる）ようになっており、両長辺側壁部３９ａａが当接部４３及び第１取付部３０の双方に対するガイドレールとして機能し得る。【００７２】
当接部４３における本体部２７からの突出寸法は、図５に示すように、第１取付部３０の同寸法とほぼ同じとされる。従って、当接部４３における突出端面４３ｂは、第１取付部３０の突出端面３０ｄとほぼ面一状をなすとともに、第１受入部３９内に進入した状態では当接部４３の突出端面４３ｂと第１取付部３０の突出端面３０ｄとが共に第１受入部３９における底壁３９ｂの内面に対して当接される（図１３）。これにより、底壁３９ｂの内面が当接部４３及び第１取付部３０の双方に対するガイド面として機能し得る。ところで、ランプクリップ１８を待機位置とし、当接部４３及び第１取付部３０の各突出端面３０ｄ，４３ｂが第１受入部３９の底壁３９ｂの内面に当接した状態（第２取付部３１も同様の状態）では、本体部２７の裏側の面が反射シート２３に当接されるとともに本体部２７と各取付部３０，３１の挟持部３０ｂ，３１ｂとの間に保有される隙間とがＺ軸方向について互いに整合している。これにより、ランプクリップ１８を待機位置から取付位置へスムーズに移動させることができる。【００７３】
次に、反射シート２３に形成された第１挿通孔３４及び第２挿通孔３５について説明する。第１挿通孔３４は、図５に示すように、第１取付孔３２及び第１受入部３９を一括して取り囲むことができる大きさとされ、第１取付孔３２及び第１受入部３９に対する第１取付部３０の進入を許容している。一方、第２挿通孔３５は、第２取付孔３３及び第２受入部４０を一括して取り囲むことができる大きさとされ、第２取付孔３３及び第２受入部４０に対する第２取付部３１の進入を許容している。また、反射シート２３のうち第２挿通孔３５に対して図５に示す右側に離間した位置には、係止孔３８に対して連通し係止部３７を挿通可能な係止部用挿通孔４４が設けられている。【００７４】
本実施形態は以上のような構造であり、続いてその作用を説明する。バックライト装置１２の製造工程のうち、特にシャーシ１４に対するランプクリップ１８の取り付け工程について詳しく説明する。【００７５】
シャーシ１４内に反射シート２３を敷設した後、各ランプクリップ１８を底板１４ａにおける対応する位置に取り付けるようにする。取り付けに際しては、作業者はランプクリップ１８のうち最も表側に突出した部位である操作部２９を把持することが可能とされる。ランプクリップ１８を図１２に示す取外し位置において、第１取付部３０及び当接部４３を第１受入部３９に、第２取付部３１を第２受入部４０にそれぞれ平面視重畳するよう位置合わせしつつ、ランプクリップ１８をシャーシ１４の底板１４ａに対して接近するよう表側からＺ軸方向に沿って押し込む。すると、第１取付部３０及び当接部４３が第１受入部３９内に、第２取付部３１が第２受入部４０内に進入する。そして、ランプクリップ１８が待機位置に達すると、図１３に示すように、本体部２７の裏側の面が反射シート２３に当接するとともに、第１取付部３０及び当接部４３の突出端面３０ｄ，４３ｂが第１受入部３９の底壁３９ｂの内面に当接し且つ第２取付部３１の突出端面３１ｄが第２受入部４０の底壁４０ｂの内面に当接される。これにより、Ｚ軸方向についてランプクリップ１８がシャーシ１４の底板１４ａに対して位置決めされる。この状態では、各取付部３０，３１の挟持部３０ｂ，３１ｂと本体部２７との間の隙間が、各取付孔３２，３３の縁部に対してＺ軸方向に整合している。【００７６】
さらには、ランプクリップ１８が待機位置に至ると、図１５に示すように、第１取付部３０及び当接部４３の突出端部が第１受入部３９の両長辺側壁部３９ａａ間に挟み込まれるとともに、第２取付部３１の突出端部が第２受入部４０の両長辺側壁部４０ａａ間に挟み込まれる。これにより、Ｘ軸方向、つまりスライド方向と直交する方向について、ランプクリップ１８がシャーシ１４の底板１４ａに対して位置決めされる。この状態では、Ｘ軸方向について、各取付部３０，３１が各取付孔３２，３３に対して整合している。【００７７】
続いて、待機位置のランプクリップ１８を図１３に示す矢線方向、つまりＹ軸方向に沿って取付位置へ向けてスライドさせる。この過程では、操作部である支持ピン２９に対して取付方向の前側（図１３に示す右側）に配された第１取付部３０及び当接部４３の外面（両側面３０ｃ，４３ａ及び突出端面３０ｄ，４３ｂ）が第１受入部３９の内面に対してＹ軸方向について離間した２位置にてそれぞれ摺接されるので、スライド動作を先行して円滑に案内することができる。特に、第１取付部３０が第１受入部３９を出て第１取付孔３２内に進入する過程では、第１取付部３０がそれよりも幅広なスリット４１を通るため、第１取付部３０に対する案内がほぼ不可能となるものの、その間も当接部４３は第１受入部３９内に配されていてスライド動作を継続的に案内することができる。なお、操作部である支持ピン２９に対して取付方向の後側（図１３に示す左側）に配された第２取付部３１についてもその外面が第２受入部４０の内面に摺接されるので、スライド動作をより円滑に案内することができる。以上により、取り付け過程においてランプクリップ１８をＹ軸方向について傾くことなくほぼ真っ直ぐにスライドさせることができるので、取り付け作業性に極めて優れる。【００７８】
取り付け過程において、ランプクリップ１８が所定位置に達すると、第２取付部３１の係止部３７が第２取付孔３３の縁部に乗り上げるとともに、その挟持部３１ｂが本体部２７及び底板１４ａから離れる方向へ一旦弾性変形する。このとき、第２受入部４０の底壁４０ｂが傾斜状に形成されているので、第２取付部３１の弾性変形が阻害されることがない。一方、第１取付部３０については、ガイド部３６が第１取付孔３２の縁部に摺接されることで、その挟持部３０ｂを底板１４ａの裏側へ円滑に導くことができ、もって挟持部３０ｂと本体部２７との間の隙間に第１取付孔３２の縁部が進入する動作を案内することができる。そして、ランプクリップ１８が取付位置に達すると、図５に示すように、係止部３７が係止孔３８に整合するので、第２取付部３１の挟持部３１ｂが弾性復帰するとともに係止部３７が係止孔３８内に進入し、互いの係止面同士が係止する。これにより、ランプクリップ１８が取付位置から待機位置側（取外し方向）へ不用意に移動するのが規制される。この取付位置では、第１取付部３０の挟持部３０ｂと本体部２７との間で第１取付孔３２の縁部が挟持されるとともに、第２取付部３１の挟持部３１ｂと本体部２７との間で第２取付孔３３の縁部が挟持されることで、ランプクリップ１８がＺ軸方向について不用意に移動するのが規制される。以上により、ランプクリップ１８を取付位置に固定することができる。【００７９】
上記した取付状態では、当接部４３は、図５及び図７に示すように、その全域が第１受入部３９内に進入した状態となっていて、その両側面４３ａ及び突出端面４３ｂが第１受入部３９の内面に対して当接している。これにより、上記した各取付部３０，３１とも相まって、ランプクリップ１８を取付位置により安定的に固定することが可能となっている。また、取付状態では、図６に示すように、本体部２７のうち各受入部３９，４０に対して平面視重畳する部分が幅広部４２となっており、幅広部４２がシャーシ１４の底板１４ａ（反射シート２３）に対して確実に当接した状態に保たれているから、本体部２７が各受入部３９，４０に落ち込むようなことが回避され、取付状態の安定化に資する。【００８０】
なお、メンテナンスなどの事情によりランプクリップ１８をシャーシ１４から取り外す場合には、治具などにより第２取付部３１の挟持部３１ｂを強制的に弾性変形させて係止部３７の係止孔３８に対する係止状態を解除しつつ、取付位置から解除位置へ向けてＹ軸方向に沿ってランプクリップ１８をスライドさせた後、解除位置から取外し位置へ向けてランプクリップ１８をシャーシ１４の底板１４ａからＺ軸方向に沿って引き離すようにすればよい。【００８１】
以上説明したように本実施形態に係るバックライト装置１２は、取付孔３２，３３を有するシャーシ１４と、シャーシ１４内に配される冷陰極管１７と、取付孔３２，３３によってシャーシ１４に取り付けられるとともに冷陰極管１７を保持可能なランプクリップ１８とを備え、ランプクリップ１８は、シャーシ１４内に配される本体部２７と、本体部２７から取付孔３２，３３を通してシャーシ１４外に突出する基部３０ａ，３１ａと、基部３０ａ，３１ａから本体部２７に沿う向きに突出するとともに本体部２７との間で取付孔３２，３３の縁部を挟持可能な挟持部３０ｂ，３１ｂとからなる取付部３０，３１とを有する一方、シャーシ１４は、取付孔３２，３３に対して取付部３０，３１の挟持部３０ｂ，３１ｂにより挟持される縁部とは反対側に隣接する部分を外側へ膨出させることで形成され、取付部３０，３１を受け入れ可能な受入部３９，４０を有する。【００８２】
シャーシ１４にランプクリップ１８を取り付けるには、取付部３０，３１を受入部３９，４０内に進入させた状態から、基部３０ａ，３１ａからの挟持部３０ｂ，３１ｂの突出方向へ向けてランプクリップ１８を移動させる。すると、基部３０ａ，３１ａ及び挟持部３０ｂ，３１ｂが取付孔３２，３３を通してシャーシ１４外に突出するとともに挟持部３０ｂ，３１ｂと本体部２７との間で取付孔３２，３３の縁部が挟持されることで、ランプクリップ１８がシャーシ１４に取り付けられる。取付部３０，３１を受け入れる受入部３９，４０は、シャーシ１４を部分的に外側へ膨出させることで形成されているので、仮に受入部として取付孔３２，３３に連続した開口を形成した場合と比べると、シャーシ１４における開口面積を小さくすることができる。これにより、シャーシ１４内の光がランプクリップ１８の表面で全て反射されず、ある割合でもって透過したとしても、その光がシャーシ１４外に漏れ出すのを抑制することができる。【００８３】
また、ランプクリップ１８は、本体部２７のうち第１取付部３０の基部３０ａに対して挟持部３０ｂ側とは反対側に配され、第１受入部３９内に突出するとともに第１受入部３９の内面に当接可能な当接部４３を備える。このようにすれば、第１受入部３９内に第１取付部３０及び当接部４３を進入させると、当接部４３が第１受入部３９の内面に当接される。この状態からランプクリップ１８を挟持部３０ｂの突出方向へ移動させると、当接部４３が第１受入部３９の内面に摺接されるので、ランプクリップ１８の移動動作を案内することができる。挟持部３０ｂと本体部２７との間に第１取付孔３２の縁部が挟持された取付状態でも、当接部４３が第１受入部３９の内面に当接しているので、取り付けたランプクリップ１８がシャーシ１４に対してがたつくのを抑制することができる。【００８４】
また、第１受入部３９及び当接部４３は、当接部４３における突出方向に沿った両側面４３ａ及び突出端面４３ｂが第１受入部３９の内面に当接可能となるよう形成されている。このようにすれば、ランプクリップ１８を取り付ける際の移動動作の案内機能及び取付状態でのがたつき防止機能をより向上させることができる。【００８５】
また、第１受入部３９は、当接部４３における突出端面４３ｂが当接した状態で、本体部２７と挟持部３０ｂとの間に保有される隙間と、第１取付孔３２の縁部とが整合するよう形成されている。このようにすれば、第１受入部３９内に当接部４３及び第１取付部３０を進入させると、当接部４３の突出端面４３ｂが第１受入部３９の内面に当接されることで、本体部２７と挟持部３０ｂとの間の隙間が第１取付孔３２の縁部に対して整合されるから、続いてランプクリップ１８を移動させる動作をより円滑なものとすることができる。【００８６】
また、当接部４３における突出端面４３ｂと、第１取付部３０における突出端面３０ｄとが略面一状に形成されている。このようにすれば、第１受入部３９内に当接部４３及び第１取付部３０を進入させると、当接部４３の突出端面４３ｂと第１取付部３０の突出端面３０ｄとが第１受入部３９の内面に当接されるから、ランプクリップ１８を取り付ける際の移動動作の案内機能を一層向上させることができる。【００８７】
また、当接部４３における突出方向に沿った両側面４３ａと、第１取付部３０における突出方向に沿った両側面３０ｃとが略面一状に形成されている。このようにすれば、第１受入部３９内に当接部４３及び第１取付部３０を進入させると、当接部４３の両側面４３ａと第１取付部３０の両側面３０ｃとが第１受入部３９の内面に当接されるから、ランプクリップ１８を取り付ける際の移動動作の案内機能を一層向上させることができる。【００８８】
また、第１受入部３９は、全体として膨出端側にかけて先窄み状に形成されていて、シャーシ１４から外向きに立ち上がるとともにシャーシ１４に対して傾斜状をなす周壁３９ａと、周壁３９ａの先端に連なる底壁３９ｂとから構成されている。このようにすれば、傾斜状をなす周壁３９ａを備えるとともに先窄み状をなす第１受入部３９に対して当接部４３及び第１取付部３０を進入させ易くなるので、作業性に優れる。【００８９】
また、シャーシ１４のうち、周壁３９ａと第１取付孔３２とに隣り合う部分には、第１取付孔３２に連通するスリット４１が形成されている。このようにすれば、傾斜状をなす周壁３９ａを所望の形状に容易に成形することができる。【００９０】
また、スリット４１は、周壁３９ａの基端よりも拡張して形成されている。このようにすれば、シャーシ１４から傾斜状をなす周壁３９ａを外向きに立ち上げて成形する際、シャーシ１４のうち周壁３９ａの基端の近傍に応力が作用し難くなる。これにより、シャーシ１４に割れが生じるなどといった問題を回避することができる。【００９１】
また、取付部３０，３１は、挟持部３０ｂ，３１ｂの突出方向について互いに離間した位置に一対設けられるのに対し、取付孔３２，３３及び受入部３９，４０は、それぞれ一対の取付部３０，３１に対応した位置に一対ずつ設けられている。このようにすれば、シャーシ１４に対してランプクリップ１８が保持される箇所が挟持部３０ｂ，３１ｂの突出方向について互いに離間した２箇所になるから、取付状態をより安定化できるとともに、各受入部３９，４０により漏光を抑制することができる。【００９２】
また、本体部２７における一対の取付部３０，３１の間の位置には、取付部３０，３１とは反対側へ突出する支持ピン２９が設けられており、支持ピン２９に対して挟持部３０ｂ，３１ｂの突出方向側に配される取付部３０，３１に対応して当接部４３が設けられている。このようにすれば、本体部２７から取付部３０，３１とは反対側へ突出する支持ピン２９を操作することで、ランプクリップ１８をシャーシ１４に取り付けることができる。当接部４３は、一対の取付部３０，３１のうち、支持ピン２９に対して挟持部３０ｂ，３１ｂの突出方向側、つまり取り付け時のランプクリップ１８の移動方向側の取付部３０，３１に対応して設けられているから、取り付け時のランプクリップ１８の移動動作の案内を先行して行うことができ、移動動作をより円滑化することができる。【００９３】
また、支持ピン２９に対して挟持部３０ｂ，３１ｂの突出方向側に配される第１取付部３０における挟持部３０ｂの突出端には、本体部２７との間の距離が先端側に向けて連続的に漸次広がるガイド部３６が設けられている。このようにすれば、ガイド部３６により挟持部３０ｂと本体部２７との間に第１取付孔３２の縁部が進入する動作がより円滑なものとなる。これにより、当接部４３とも相まって取り付け時のランプクリップ１８の移動動作をさらに円滑なものとすることができる。【００９４】
また、支持ピン２９に対して挟持部３０ｂ，３１ｂの突出方向とは反対側に配される第２取付部３１における挟持部３１ｂには、本体部２７側へ突出する係止部３７が設けられているのに対し、シャーシ１４のうち、係止部３７を有する第２取付部３１に対応した第２取付孔３３から挟持部３１ｂの突出方向へ離間した位置には、係止部３７を係止可能な係止孔３８が設けられている。このようにすれば、シャーシ１４に取り付けた状態のランプクリップ１８の脱落防止を図ることができる。【００９５】
また、係止部３７を有する第２取付部３１に対応した第２受入部４０は、シャーシ１４から外向きに立ち上がる周壁４０ａと、周壁４０ａの先端に連なる底壁４０ｂとから構成され、且つ底壁４０ｂが第２取付孔３３側に向けて次第に外側に開くよう傾斜状に形成されている。このようにすれば、第２受入部４０内に係止部３７を有する第２取付部３１を進入させた状態からランプクリップ１８を移動させると、係止部３７が第２取付孔３３の縁部に乗り上げることで、挟持部３１ｂが一旦弾性変位されるが、このとき傾斜状をなす底壁４０ｂによって弾性変位する挟持部３１ｂを受け入れることができる。これにより、取り付け時のランプクリップ１８の移動動作をより円滑なものとすることができる。【００９６】
また、シャーシ１４に対して冷陰極管１７を挟んだ位置に配される光学部材１５ａ，１５ｂを備えており、支持ピン２９は、光学部材１５ａ，１５ｂを支持可能とされる。このようにすれば、支持ピン２９によって光学部材１５ａ，１５ｂを良好に支持することができる。【００９７】
また、本体部２７のうち受入部３９，４０に対して平面視重畳する部分には、受入部３９，４０よりも幅広な幅広部４２が設けられている。このようにすれば、幅広部４２により本体部２７が受入部３９，４０内に落ち込むのを回避することができる。これにより、ランプクリップ１８の取付状態をより安定化させることができる。また、仮に本体部の全体を幅広にした場合と比べて、本体部２７に用いる材料費を低減することができる。【００９８】
また、挟持部３０ｂ，３１ｂは、基部３０ａ，３１ａから本体部２７に沿って延出する片持ちの板片状をなしている。このようにすれば、取付孔３２，３３の縁部に対する挟持部３０ｂ，３１ｂの接触面積を十分に確保でき、ランプクリップ１８の取付状態をより安定化させることができる。【００９９】
＜実施形態２＞
本発明の実施形態２を図１６から図２２によって説明する。この実施形態２では、第２の当接部４５を追加したものを示す。なお、この実施形態２では、上記した実施形態１と同様の部位には、同一の符号を用いるとともにその末尾に添え字Ａを付すものとし、構造、作用及び効果について重複する説明は省略する。【０１００】
ランプクリップ１８Ａにおける本体部２７Ａのうち、第１取付部３０Ａと当接部４３Ａとの間の位置には、図１６に示すように、第１取付孔３２Ａの内面に当接可能な第２の当接部４５が設けられている。第２の当接部４５は、本体部２７Ａの裏側の面から突出する略ブロック状に形成されており、本体部２７Ａにおいて第１取付部３０Ａと当接部４３Ａとのほぼ中間位置に配されている。第２の当接部４５は、図１７及び図１８に示すように、その幅寸法（Ｘ軸方向の寸法）が第１取付部３０Ａの幅寸法とほぼ同じとされ、第１取付孔３２Ａの幅寸法ともほぼ同じとされる。また、第１取付孔３２Ａは、図１７及び図１９に示すように、その長さ寸法（Ｙ軸方向の寸法）が第２の当接部４５と第１取付部３０Ａの基部３０ａＡとの間の距離と概ね等しくなっている。これにより、ランプクリップ１８Ａを取付位置に配した状態（取付状態）では、図１７に示すように、第１取付部３０Ａの両側面３０ｃＡ及び第２の当接部４５の両側面４５ａが第１取付孔３０Ａの内面に対して当接されるようになっている。また、第２の当接部４５における本体部２７Ａからの突出寸法は、図１６に示すように、シャーシ１４Ａの底板１４ａＡの厚さ寸法と同じ程度とされ、それにより取付状態において第２の当接部４５の突出端面４５ｂが底板１４ａＡの裏側の面と略面一状をなす。【０１０１】
一方、当接部４３Ａは、図１８に示すように、その幅寸法が第１取付部３０Ａ及び第２の当接部４５の幅寸法よりも大きくなるよう形成されている。第１受入部３９Ａの底壁３９ｂＡは、図１９に示すように、その幅寸法が第１取付孔３２Ａの幅寸法よりも大きくなり且つ当接部４３Ａの幅寸法とほぼ同じになるよう形成されている。従って、ランプクリップ１８Ａを待機位置に配した状態では、図２１及び図２２に示すように、当接部４３Ａの両側面４３ａＡ及び突出端面４３ｂＡと、第１取付部３０Ａの突出端面３０ｄＡとが第１受入部３９Ａの内面に当接されるものの、第１取付部３０Ａの両側面３０ｃＡと第２の当接部４５の両側面４５ａ及び突出端面４５ｂとは、第１受入部３９Ａの内面とは非接触となる。【０１０２】
ランプクリップ１８Ａをシャーシ１４Ａの底板１４ａＡに取り付ける際には、図２０に示す取外し位置からランプクリップ１８Ａを底板１４ａＡに接近させ、第１取付部３０Ａ、当接部４３Ａ及び第２の当接部４５を第１受入部３９Ａ内に、第２取付部３１Ａを第２受入部４０Ａ内にそれぞれ進入させる。ランプクリップ１８Ａが待機位置まで押し込まれると、図２１及び図２２に示すように、第１取付部３０Ａの突出端面３０ｄＡと当接部４３Ａの両側面４３ａＡ及び突出端面４３ｂＡがそれぞれ第１受入部３９Ａの内面に当接されるとともに、第２取付部３０Ａの各外面が第２受入部４０Ａの内面に当接されるので、この状態からランプクリップ１８Ａを取付位置へ移動させる過程での移動動作が円滑に案内される。ランプクリップ１８Ａが取付位置に達すると、当接部４３Ａの両側面４３ａＡ及び突出端面４３ｂＡが第１受入部３９Ａの内面に当接するとともに、第１取付部３０Ａの両側面３０ｃＡ及び第２の当接部４５の両側面４５ａが第１取付孔３０Ａの内面に当接しており、当接箇所がＹ軸方向について離間した３位置となるので、取付状態としたランプクリップ１８Ａを一層安定的に固定することができる。【０１０３】
以上説明したように本実施形態によれば、本体部２７Ａのうち第１取付部３０Ａの基部３０ａＡと当接部４３Ａとの間には、第２の当接部４５が設けられており、第２の当接部４５は、第１取付孔３２Ａの内面に対して当接可能とされている。このようにすれば、シャーシ１４Ａにランプクリップ１８Ａを取り付けた状態において、第１受入部３９Ａの内面に当接する当接部４３Ａと、第１取付孔３２Ａの内面に当接する第２の当接部４５との少なくとも２箇所でランプクリップ１８Ａのがたつきを規制することができる。これにより、ランプクリップ１８Ａ並びに冷陰極管１７Ａの取付状態をさらに安定化させることができる。【０１０４】
また、第２の当接部４５は、その突出端面４５ｂがシャーシ１４Ａの外面と略面一状になるよう形成されている。このようにすれば、第２の当接部４５をその突出方向について第１取付孔３２Ａの内面に対して全域にわたって当接させつつ、第２の当接部４５の突出寸法を最小限にすることができる。【０１０５】
＜実施形態３＞
本発明の実施形態３を図２３から図２８によって説明する。この実施形態３では、上記した実施形態２から、第２取付部３１Ｂを変更するとともに、当接部４３Ｂ及び第２の当接部４５Ｂを一対ずつ設置し、さらに位置決め構造を追加したものを示す。なお、この実施形態３では、上記した実施形態２と同様の部位には、同一の符号を用いるとともにその末尾に添え字Ｂを付すものとし、構造、作用及び効果について重複する説明は省略する。【０１０６】
第２取付部３１Ｂは、図２３に示すように、第１取付部３０Ｂと同様の構造とされる。すなわち、第２取付部３１Ｂにおける挟持部３１ｂＢの先端には、本体部２７Ｂとの間の距離が先端側に向けて連続的に漸次増加する形態のガイド部３６Ｂが設けられている。なお、各ガイド部３６Ｂの突出寸法は、第１取付部３０Ｂに設けられたガイド部３６Ｂの方が、第２取付部３１Ｂに設けられたガイド部３６Ｂよりも大きくなるよう設定されている。従って、第１取付部３０Ｂのガイド部３６Ｂにおける先端と本体部２７Ｂとの間の隙間、つまり第１取付孔３２Ｂの縁部に対する導入間口は、第２取付部３１Ｂのガイド部３６Ｂにおける先端と本体部２７Ｂとの間の隙間、つまり第２取付孔３３Ｂの縁部に対する導入間口よりも大きくなっている。【０１０７】
本体部２７Ｂのうち、第２取付部３１Ｂの基部３１ａＢに対して挟持部３１ｂＢの突出方向とは反対側には、第１取付部３０Ｂと同様に、第２の当接部４５Ｂ及び当接部４３Ｂが順次に並んで設けられている。これら当接部４３Ｂ及び第２の当接部４５Ｂは、第２取付部３１Ｂと共に第２受入部４０Ｂ内に進入可能とされる（図２８に示す待機位置）。また、第２の当接部４５Ｂは、第２取付部３１Ｂの基部３１ａＢと共に、第２取付孔３３Ｂ内に進入可能とされる（図２３及び図２４に示す取付位置）。なお、本実施形態に係る第１受入部３９Ｂ用の当接部４３Ｂと、第２受入部４０Ｂ用の当接部４３Ｂは、共にその突出端面４３ｂＢが対応する受入部３９Ｂ，４０Ｂの底壁３９ｂＢ，４０ｂＢに対して当接不能な突出寸法とされるものの、両側面４３ａＢが受入部３９Ｂ，４０Ｂの周壁３９ａＢ，４０ａＢに対して当接可能とされている。【０１０８】
本体部２７Ｂとシャーシ１４Ｂの底板１４ａＢとには、互いに凹凸嵌合することで、Ｘ軸方向及びＹ軸方向、つまり本体部２７Ｂ（シャーシ１４Ｂの底板１４ａＢ）の板面に沿う方向について相互を位置決め可能な位置決め構造が設けられている。詳しくは、本体部２７Ｂにおける裏側の面には、裏側へ突出する位置決め凸部４６が設けられるのに対し、シャーシ１４Ｂの底板１４ａＢには、位置決め凸部４６を嵌合嵌合な位置決め孔４７が貫通して設けられている。位置決め凸部４６は、Ｙ軸方向について本体部２７Ｂのうち第１取付部３０Ｂに対応した当接部４３Ｂと、第２取付部３１Ｂとの間に配されており、別言すると中央のランプ把持部２８Ｂの直下位置に配されている。位置決め凸部４６の突出寸法は、シャーシ１４Ｂの底板１４ａＢの板厚よりもやや大きくなるよう設定されている。位置決め凸部４６は、平面に視て円形状をなしている（図２５）。一方、位置決め孔４７は、位置決め凸部４６に適合するよう平面に視て円形状に形成されており、その径寸法は位置決め凸部４６に対して僅かなクリアランスを保有する程度とされる（図２４及び図２６）。位置決め凸部４６及び位置決め孔４７は、ランプクリップ１８Ｂがシャーシ１４Ｂに対して待機位置に配された状態（取付部３０Ｂ，３１Ｂが受入部３９Ｂ，４０Ｂ内に配された状態）では、互いに整合せず非嵌合状態とされるものの、ランプクリップ１８Ｂがシャーシ１４Ｂに対して取付位置に配された状態（取付部３０Ｂ，３１Ｂが取付孔３２Ｂ，３３Ｂ内に配された状態）では、互いに整合して嵌合状態とされる。【０１０９】
また、本体部２７Ｂの裏側の面には、Ｘ軸方向に沿って延出する形態の補強リブ４８が４本所定位置に並んで設けられている（図２５）。また、本体部２７Ｂの表側の面には、Ｙ軸方向に沿って延出するとともに各ランプ把持部２８Ｂに連なる形態の補強リブ４９が設けられている（図２３）。これらの互いに直交する表裏の補強リブ４８，４９によって本体部２７Ｂの強度の向上が図られている。なお、反射シート２３には、位置決め凸部４６を挿通可能な位置決め凸部用挿通孔５０が位置決め孔４７と整合する位置に設けられている。【０１１０】
ランプクリップ１８Ｂをシャーシ１４Ｂの底板１４ａＢに取り付ける際には、図２７に示す取外し位置からランプクリップ１８Ｂを底板１４ａＢに接近させ、第１取付部３０Ｂと、対応する当接部４３Ｂ及び第２の当接部４５Ｂとを第１受入部３９Ｂ内に、第２取付部３１Ｂと、対応する当接部４３Ｂ及び第２の当接部４５Ｂとを第２受入部４０Ｂ内にそれぞれ進入させる。ランプクリップ１８Ｂが待機位置まで押し込まれると、図２８に示すように、位置決め凸部４６が位置決め孔４７とは整合せず、反射シート２３Ｂ（底板１４ａＢ）に当接するため、本体部２７Ｂが反射シート２３Ｂから位置決め凸部４６の突出寸法分だけ浮き上がった状態（段差が生じた状態）となる。このため、各取付部３０Ｂ，３１Ｂと挟持部３０ｂＢ，３１ｂＢとの間の隙間が各取付孔３２Ｂ，３３Ｂの縁部とは整合せず、挟持部３０ｂＢ，３１ｂＢが各取付孔３２Ｂ，３３Ｂの縁部に対してＹ軸方向について対向する位置関係となり得る。ところが、各取付部部３０Ｂ，３１Ｂの挟持部３０ｂＢ，３１ｂＢにおける突出端には、それぞれガイド部３６Ｂが設けられており、ガイド部３６Ｂの先端と本体部２７Ｂとの間の間口が十分に確保されている。従って、ランプクリップ１８Ｂを待機位置から取付位置へ向けて移動させても、各ガイド部３６Ｂによって各挟持部３０ｂＢ，３１ｂＢが円滑に各取付孔３２Ｂ，３３Ｂの縁部の裏側へとガイドされる。このとき、各挟持部３２Ｂ，３３Ｂは、拡開しつつ弾性変形されて本体部２７Ｂから離れる方向（裏側）へ変位される。【０１１１】
そして、ランプクリップ１８Ｂが取付位置に達すると、図２３及び図２４に示すように、各挟持部３０ｂＢ，３１ｂＢが弾性復帰するとともに各挟持部３０ｂＢ，３１ｂＢと本体部２７Ｂとの間に各取付孔３２Ｂ，３３Ｂの縁部が挟持されるとともに、位置決め凸部４６が位置決め孔４７内に嵌合される。この取付状態では、各取付孔３２Ｂ，３３Ｂの縁部が本体部２７Ｂと各挟持部３０ｂＢ，３１ｂＢとの間で挟持されることで、ランプクリップ１８ＢがＺ軸方向について不用意に移動するのが規制されるとともに、位置決め凸部４６及び位置決め孔４７が凹凸嵌合されることで、ランプクリップ１８ＢがＸ軸方向及びＹ軸方向について不用意に移動するのが規制される。もって、取付状態としたランプクリップ１８Ｂを一層安定的に固定することができる。【０１１２】
以上説明したように本実施形態によれば、本体部２７Ｂとシャーシ１４Ｂとには、互いに凹凸嵌合することで、本体部２７Ｂに沿う方向について相互を位置決め可能な位置決め構造がそれぞれ設けられている。このようにすれば、ランプクリップ１８Ｂをシャーシ１４Ｂに対して本体部２７Ｂに沿う方向について位置決め状態に保つことができる。【０１１３】
また、上記位置決め構造は、本体部２７Ｂに設けられた位置決め凸部４６と、シャーシ１４Ｂに設けられ位置決め凸部４６を嵌合可能な位置決め孔４７とから構成される。このようにすれば、本体部２７Ｂ側に設けた位置決め凸部４６を、シャーシ１４Ｂ側に設けた位置決め孔４７に嵌合させることで、シャーシ１４Ｂに対するランプクリップ１８Ｂの位置決めを図ることができる。【０１１４】
また、上記位置決め構造は、取付部３０Ｂ，３１Ｂが受入部３９Ｂ，４０Ｂ内に配された状態（待機位置）では、非嵌合状態とされるのに対し、取付部３０Ｂ，３１Ｂが取付孔３２Ｂ，３３Ｂ内に配された状態（取付位置）では、嵌合状態とされる。このようにすれば、取付部３０Ｂ，３１Ｂが取付孔３２Ｂ，３３Ｂ内に配され、その挟持部３０ｂＢ，３１ｂＢと本体部２７Ｂとの間で取付孔３２Ｂ，３３Ｂの縁部が挟持された状態ではじめて位置決め構造が嵌合状態となる。これにより、シャーシ１４Ｂに取り付けたランプクリップ１８Ｂを安定的に保持することができる。【０１１５】
また、取付部３０Ｂ，３１Ｂにおける挟持部３０ｂＢ，３１ｂＢの突出端には、本体部２７Ｂとの間の距離が先端側に向けて連続的に漸次広がるガイド部３６Ｂが設けられている。取付部３０Ｂ，３１Ｂが受入部３９Ｂ，４０Ｂ内に配された状態（待機位置）で位置決め構造が非嵌合状態であるとき、本体部２７Ｂがシャーシ１４Ｂから浮き上がることになるが、挟持部３０ｂＢ，３１ｂＢの突出端にガイド部３６Ｂを設けるようにすることで、ランプクリップ１８Ｂを挟持部３０ｂＢ，３１ｂＢの突出方向へスムーズに移動させることができる。【０１１６】
＜他の実施形態＞
本発明は上記記述及び図面によって説明した実施形態に限定されるものではなく、例えば次のような実施形態も本発明の技術的範囲に含まれる。【０１１７】
（１）上記した実施形態１，２では、当接部の両側面及び突出端面が受入部の内面に当接するものを示したが、例えば当接部の幅寸法を上記実施形態１，２よりも小さくし、その両側面が受入部の内面に当接しない形態としたものも本発明に含まれる。また、各取付部に関しても上記と同様の設定とすることも可能である。また、各取付部の突出端面が各受入部の内面に当接しない形態としたものも本発明に含まれる。【０１１８】
（２）上記した各実施形態以外にも、取付部とそれに対応する当接部との間の距離は適宜に変更可能である。例えば、上記距離を取付孔と受入部との間の距離とほぼ同じまたはそれよりも小さくすることも可能である。そのようにすれば、受入部の長さ寸法を小さくすることができる。なお、取付位置では、当接部が受入部に対して部分的に当接することで、取付状態を安定化させることができる。【０１１９】
（３）上記した実施形態２では、第１取付部及び第２取付部に対応してそれぞれ当接部及び第２の当接部を設けたものを示したが、いずれか一方の当接部を省略したり、いずれか一方の第２の当接部を省略したものも本発明に含まれる。また、第１取付部に対応した当接部及び第２の当接部を省略して、第２取付部のみに対応して当接部や第２の当接部を設けることもできる。【０１２０】
（４）上記した実施形態１，２では、操作部である支持ピンに対して取付方向にずれて配された第１取付部にガイド部を設け、取外し方向にずれて配された第２取付部に係止部を設けたものを示したが、例えば第１取付部に係止部を、第２取付部にガイド部を設けるようにしてもよい。それ以外にも両取付部の双方に係止部を設けることも可能である。【０１２１】
（５）上記した各実施形態では、取付部を２つ有するランプクリップについて例示したが、取付部の設置数を３つ以上または１つのみとしたものも本発明に含まれる。取付部を３つ以上設置するケースでは、各取付部に対応して当接部または第２の当接部を３つ以上設置することも可能である。また、取付部の設置数よりも当接部や第２の当接部の設置数を少なくすることも可能である。【０１２２】
（６）上記した実施形態３では、位置決め構造としてシャーシに底板を貫通する位置決め孔を設けたものを示したが、例えばシャーシの底板を部分的に外側へ膨出させることで底板を貫通させることなく形成した位置決め凹部を位置決め構造としたものも本発明に含まれる。【０１２３】
（７）上記した実施形態３では、位置決め構造として本体部側に位置決め凸部を、シャーシ側に位置決め孔（位置決め凹部）を設けたものを示したが、本体部側に位置決め孔（位置決め凹部）を、シャーシ側に位置決め凸部を設けるようにしたものも本発明に含まれる。【０１２４】
（８）上記した各実施形態では、ランプクリップのスライド方向をＹ軸方向、つまり冷陰極管の軸方向と直交する方向としたものを例示したが、ランプクリップのスライド方向をＸ軸方向（冷陰極管の軸方向）とし、各取付部における基部からの挟持部の突出方向をＸ軸方向としたものも本発明に含まれる。【０１２５】
（９）上記した各実施形態以外にも、ランプ把持部や支持ピンに対する各取付部の相対的な位置関係は、適宜に変更可能である。同様にランプ把持部や支持ピンに対する当接部の相対的な位置関係及び第２の当接部の相対的な位置関係についても適宜に変更可能である。【０１２６】
（１０）上記した各実施形態では、挟持部を弾性変形可能な片持ちの板片状としたものを示したが、例えば弾性変形不能な突起状の挟持部を設けるようにしたものも本発明に含まれる。【０１２７】
（１１）上記した各実施形態では、各受入部の周壁が傾斜状をなすものを示したが、例えば周壁がシャーシの底板からほぼ垂直に立ち上がる形態としたものも本発明に含まれる。【０１２８】
（１２）上記した各実施形態以外にもランプ把持部の設置数や設置位置は適宜に変更可能である。同様に支持ピンの設置数や設置位置は適宜に変更可能である。【０１２９】
（１３）上記した各実施形態では、受入部に当接可能な当接部を設けたものを示したが、当接部を省略することも可能である。その場合であっても、受入部を先窄み状に形成し、周壁を傾斜状にしておくことで、受入部に対して取付部を進入させ易くなるので、作業性に優れる、という効果を得られる。【０１３０】
（１４）上記した各実施形態では、光源として冷陰極管を使用した場合を示したが、例えば熱陰極管など他の種類の光源を用いたものも本発明に含まれる。【０１３１】
（１５）上記した各実施形態では、シャーシを金属製の板金よりなるものとしたが、樹脂成形よりなるものとしても良い。【０１３２】
（１６）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。【０１３３】
（１７）上記した各実施形態では、表示パネルとして液晶パネルを用いた液晶表示装置を例示したが、他の種類の表示パネルを用いた表示装置にも本発明は適用可能である。【０１３４】
（１８）上記した各実施形態では、チューナーを備えたテレビ受信装置を例示したが、チューナーを備えない表示装置にも本発明は適用可能である。
【図１】
2010061665.tif 000003
【図２】
2010061665.tif 000004
【図３】
2010061665.tif 000005
【図４】
2010061665.tif 000006
【図５】
2010061665.tif 000007
【図６】
2010061665.tif 000008
【図７】
2010061665.tif 000009
【図８】
2010061665.tif 000010
【図９】
2010061665.tif 000011
【図１０】
2010061665.tif 000012
【図１１】
2010061665.tif 000013
【図１２】
2010061665.tif 000014
【図１３】
2010061665.tif 000015
【図１４】
2010061665.tif 000016
【図１５】
2010061665.tif 000017
【図１６】
2010061665.tif 000018
【図１７】
2010061665.tif 000019
【図１８】
2010061665.tif 000020
【図１９】
2010061665.tif 000021
【図２０】
2010061665.tif 000022
【図２１】
2010061665.tif 000023
【図２２】
2010061665.tif 000024
【図２３】
2010061665.tif 000025
【図２４】
2010061665.tif 000026
【図２５】
2010061665.tif 000027
【図２６】
2010061665.tif 000028
【図２７】
2010061665.tif 000029
【図２８】
2010061665.tif 000030
【国際調査報告】
2010061665.tif 000031
2010061665.tif 000032
2010061665.tif 000033
2010061665.tif 000034